(57)【要約】【課題】球が円滑に払い出されるようにする。【解決手段】タンク２の球を貯蔵する球貯蔵室の前後幅が払出機構３の球入口７に向けて絞られ、球切検出機構５が球を球入口７に向けて斜めに誘導し、タンク２の底面６を流下する球が多量に球入口７に集中することがなく、タンク２の底面６を流下する球の量が球入口７に向けて徐々に減少し、払出体１１に負担がかかり過ぎることがなく、球詰まりも発生しにくく、払出体１１の駆動に伴い、球が庇１０の下に潜り込んで球出口９から下方に払い出される。【選択図】図１
2008237630.tif 000002
【特許請求の範囲】
【請求項１】
タンクには球貯蔵室が設けられ、球貯蔵室の底部には球を球貯蔵室から収容部に落下させる球入口と球入口から下方に窪む空間を形成する収容部と球出口の上に位置して球入口を塞ぐ庇とが設けられ、球貯蔵室の球と接触する底面は球貯蔵室に取り込まれた球を球入口に向けて左から右または右から左に流下させる斜面を構成し、収容部の前部または後部には球出口が設けられ、払出体は直線状の丸棒からなる払出軸と払出軸の軸心と平行な方向に球を１個ずつ分離する間隔で払出軸の外周面から径方向外側に螺旋形状に突出した螺旋体とを備えた螺旋構造体として構成され、払出体が払出軸の軸心を前後方向に延びるように向けて収容部に回転可能に配置されたことによって、収容部の内部には収容部と払出軸と螺旋体とで囲まれて球を１個ずつ取り込む隙間が形成され、タンクの後部の外側には払出体に連結された払出モータが設けられ、払出モータが払出体を払出軸の軸心を中心とする円周の一方向に回転するように駆動することによって、払出体の螺旋体が球貯蔵室から上記隙間に取り込まれた球を１個ずつ分離しながら庇の下に潜り込ませて球出口の方に移動させることを特徴とする遊技機の球払出装置。
【請求項２】
庇が上り勾配部を介してタンクの底面に繋がる構成であり、庇における払出体の真上における部分が庇から上方に突出した払出逃避部として構成されたことを特徴とする請求項１記載の遊技機の球払出装置。
【発明の詳細な説明】
【技術分野】
【０００１】
本発明は、球詰まりが発生しにくく、球が円滑に払い出される遊技機の球払出装置に関する。
【背景技術】
【０００２】
球を遊技媒体として使用するパチンコ遊技機などの遊技機では、賞球または貸球などとしての球を遊技機の前部の受皿に払い出す球払出装置が知られている。図８は、特許文献１で開示された球払出装置を示す。図８において、タンク２の底部には、球入口７および収容部８が設けられる。収容部８の底部には、球出口９が設けられる。収容部８には、螺旋構造体として構成された払出体１１が収容される。タンク２の外面には、払出モータ１２が固定される。払出モータ１２の出力軸が払出体１１に連結される。タンク２の球と接触する底面６は、球を矢印Ｘ１で示すように球入口７に向けて流下させる斜面を構成する。そして、払出体１１が払出モータ１２によって一方向に回転されると、球が矢印Ｘ４で示すようにタンク２から球入口７と収容部８および球出口９を経由して払い出される。しかしながら、底面６が球を球入口７に向けて流下させる方向と払出体１１が球を球出口９に向けて移動させる方向とが互いに逆の向きであることから、払出体１１に負担がかかり過ぎ、球詰まりを発生しやすいという欠点がある。
【特許文献１】特開平８−１０４１５号公報
【特許文献２】特開平１０−２０１９１６号公報
【発明の開示】
【発明が解決しようとする課題】
【０００３】
発明が解決しようとする問題点は、球詰まりを発生しやすいという点である。
【課題を解決するための手段】
【０００４】
本発明に係る遊技機の球払出装置は、タンクには球貯蔵室が設けられ、球貯蔵室の底部には球を球貯蔵室から収容部に落下させる球入口と球入口から下方に窪む空間を形成する収容部と球出口の上に位置して球入口を塞ぐ庇とが設けられ、球貯蔵室の球と接触する底面は球貯蔵室に取り込まれた球を球入口に向けて左から右または右から左に流下させる斜面を構成し、収容部の前部または後部には球出口が設けられ、払出体は直線状の丸棒からなる払出軸と払出軸の軸心と平行な方向に球を１個ずつ分離する間隔で払出軸の外周面から径方向外側に螺旋形状に突出した螺旋体とを備えた螺旋構造体として構成され、払出体が払出軸の軸心を前後方向に延びるように向けて収容部に回転可能に配置されたことによって、収容部の内部には収容部と払出軸と螺旋体とで囲まれて球を１個ずつ取り込む隙間が形成され、タンクの後部の外側には払出体に連結された払出モータが設けられ、払出モータが払出体を払出軸の軸心を中心とする円周の一方向に回転するように駆動することによって、払出体の螺旋体が球貯蔵室から上記隙間に取り込まれた球を１個ずつ分離しながら庇の下に潜り込ませて球出口の方に移動させることを最も主要な特徴とする。庇が上り勾配部を介してタンクの底面に繋がる構成であり、庇における払出体の真上における部分が庇から上方に突出した払出逃避部として構成されてもよい。
【発明の効果】
【０００５】
本発明に係る遊技機の球払出装置は、タンクの球を貯蔵する球貯蔵室の前後幅が払出機構の球入口に向けて絞られ、球貯蔵室の底面が球を球入口に向けて流下させる斜面を構成し、払出体が球を収容部の前部または後部の球出口に向けて移動するように構成されたことによって、払出体が球貯蔵室の球から受ける球圧の方向と球を移動する方向とが互いに交差する方向となり、払出モータの負担が軽減し、球詰まりが発生しなくなり、球が適切に払い出されるという利点がある。庇が上り勾配部を介してタンクの底面に繋がる構成であり、庇における払出体の真上における部分が庇から上方に突出した払出逃避部として構成されれば、底面から庇の方に向かう球の勢いが上り勾配部で減少し、上り勾配部から庇の上に乗った球が庇の上を球入口に向けて流下する場合、払出逃避部によって収容部の押出側部分と引込側部分とに向かうように分けられるので、払出モータの負担が一層軽減できるという利点がある。
【発明を実施するための最良の形態】
【０００６】
図１乃至図７は、発明を実施するための最良の形態である。図１は、球払出装置１の平面を示す。図２は、庇１０の周りを示す。図３は、球払出装置１の配線構造および払出機構３を分解して示す。図４は、球払出装置１を分解して示す。図５のａ図は、抜取機構４の閉鎖形態を示す。図５のｂ図は、抜取機構４の開放形態を示す。図６のａ図は、球切検出機構５の球切れ検出形態を示す。図６のｂ図は、球切検出機構５の球切れ未検出形態を示す。図７は、パチンコ遊技機を示す。本明細書において、「前」、「後」、「左」、「右」、「上」、「下」の方向は、図７の状態に遊技機枠１０１を置いて矢印Ｓで示す前側から見た場合に特定される方向である。
【０００７】
図１を参照し、遊技機の球払出装置１について説明する。球払出装置１は、タンク２、払出機構３、抜取機構４、球切検出機構５などを備える。そして、タンク２が遊技機枠１０１に取り付けられ、抜取機構４が人為的な閉操作でタンク２の底部を閉鎖し、払出機構３が停止した状態において、遊技機枠１０１の設置された図外の遊技機設置構造体の補給機構から排出されたパチンコ球と呼ばれる球がタンク２に上方から貯蔵される。タンク２における球の貯蔵量が例えば球切れよりも多くなると、球切検出機構５が球切信号を図外の払出発射制御装置に出力しなくなり、払出発射制御装置が球の払出を停止するような払出中断処理を実行せずかつ店の営業を管理する図外のホールコンピュータに何の信号も出力しない。球がタンク２に貯蔵された状態において、払出機構３が駆動すると、球がタンク２から下方外部に払い出される。
【０００８】
そして、タンク２における球の貯蔵量が減少し、球切検出機構５が球の貯蔵量が減少した信号としての例えば球切信号を払出発射制御装置に出力すると、払出発射制御装置が球の払出を停止するような払出中断処理を実行しかつホールコンピュータに球切信号を出力し、ホールコンピュータが補給機構を制御し、補給機構が例えば５００個などの規定数の球をタンク２に供給する。また、球がタンク２に貯蔵され、ホールコンピュータが球の補給に対する管理を停止した状態において、抜取機構４が人による開操作でタンク２の底部を開放すると、球がタンク２から下方外部に抜き取られる。よって、球をタンク２から抜き取る場合、電気を使用することなく、取り扱いが容易であるという利点がある。
【０００９】
タンク２の内部に構成された上方に開口した箱形の球貯蔵室は、前壁から後方への寸法である広い前後幅をＬ１とし、前壁から後方への寸法である狭い前後幅をＬ３とし、前壁から後方への寸法である中間の前後幅をＬ２とすると、Ｌ１＞Ｌ２＞Ｌ３に構成される。狭い前後幅Ｌ３の部分には、払出機構３が配置される。中間の前後幅Ｌ２の部分には、抜取機構４の抜取口部８０および球切検出機構５が配置される。タンク２の球と接触する底面６は、球を矢印Ｘ１で示す方向たる左から右に向けて流下させるというように、球を払出機構３の球入口７に向けて流下させる斜面を構成する。
【００１０】
よって、タンク２の球を貯蔵する球貯蔵室の前後幅が払出機構３の球入口７に向けて絞られ、球切検出機構５が球を球入口７に向けて斜めに誘導するので、タンク２の底面６を流下する球が多量に球入口７に集中することがなく、タンク２の底面６を流下する球の量が球入口７に向けて徐々に減少し、払出体１１に負担がかかり過ぎることがなく、球詰まりも発生しにくく、払出体１１が球を円滑に払い出すことができるという利点がある。
【００１１】
払出機構３は、タンク２の右端部に設けられ、球入口７、収容部８、球出口９、庇１０、払出体１１、払出モータ１２、筐体１３を備える。球入口７は、タンク２の底面６に上下方向への貫通孔として設けられる。収容部８は、球入口７の周縁部から下方への窪みとして、タンク２の底面６から下方に突出する。球出口９は、収容部８の前部における底部に上下方向への貫通孔として形成される。庇１０は、球入口７における球出口９の真上と対応する部分を塞ぐように、タンク２の底部に設けられる。
【００１２】
払出体１１は、収容部８に収容され、払出軸１４および螺旋体１５を備えた螺旋構造体である。払出軸１４は、前後方向に直線的に延びる丸棒により構成される。螺旋体１５は、払出軸１４の前後方向に延びる軸心と平行な方向に球を１個ずつ分離する間隔で、払出軸１４の外周面から径方向外側に螺旋形状に突出する。払出モータ１２は、筐体１３に収容される。筐体１３は、タンク２の後壁の外面に固定される。払出モータ１２の出力軸５１には、払出体１１が連結される。
【００１３】
そして、払出機構３が停止した場合、タンク２に貯蔵された球は、タンク２から球入口７を経由して収容部８と払出体１１との隙間に１個ずつ分離されて取り込まれる。その状態において、払出モータ１２が払出体１１を払出軸１４の周方向の矢印Ｗで示す一方向に回転するように駆動するのに伴い、螺旋体１５が収容部８と払出体１１との隙間に１個ずつ分離されて取り込まれた球を１個ずつ分離しつつ図１に矢印Ｘ２で示すように後から前の方に移動する。前の方に移動した球は、払出体１１の駆動に伴い、庇１０の下に潜り込んで球出口９から下方に払い出される。
【００１４】
払出体１１が矢印Ｗで示す方向に回転するように駆動された場合、収容部８の払出体１１を境とする左部分は、払出体１１が球を収容部８から上方に押し出す、押出側として構成され（以下、収容部８の押出側部分と称する）、収容部８の払出体１１を境とする右部分は、払出体１１が球を球入口７から下方に引き込む、引込側として構成される（以下、収容部８の引込側部分と称する）。つまり、収容部８の押出側部分では、球が矢印Ｗで示す方向に駆動された払出体１１によってタンク２から収容部８に引き込まれにくい。収容部８の引込側部分では、球が矢印Ｗで示す方向に駆動された払出体１１によってタンク２から収容部８に引き込まれやすい。
【００１５】
図２を参照し、庇１０の構造について説明する。庇１０の左縁部は、タンク２の底面６に繋がる上り勾配部１７として構成される。上り勾配部１７は、底面６を流下してきた球を上方に誘導する。つまり、底面６から庇１０の右方に向かう球に対し、上り勾配部１７は上り勾配になっている。よって、底面６から庇１０の方に向かう球の勢いが上り勾配部１７で減少する。庇１０の払出体１１の真上における部分は、払出逃避部１８として構成される。払出逃避部１８は、庇１０から上方に突出し、後から前に行くにしたがって左右方向の距離が狭くなる、半円錐形になっている。よって、底面６を流下してきた球は、上り勾配部１７で勢いを和らげられて庇１０の上に乗っかる。庇１０の上に乗った球は、庇１０の上を球入口７に向けて流下する場合、払出逃避部１８によって収容部８の押出側部分と引込側部分と向かうように分けられるので、図１の払出モータ１２の負担が一層軽減できるという利点がある。
【００１６】
図３を参照し、球払出装置１の配線構造および払出機構３の内部構造について説明する。球払出装置１の配線構造のために、タンク２の前部には、基板収容部２１が上方に開口した箱形の部屋として設けられる。基板収容部２１の左右側壁には、配線孔２２；２３が上方に開口した窪みとして設けられる。基板収容部２１の底部には、中継基板２４が取り付けられる。中継基板２４は、球払出装置１に関係する電気部品の全ての配線を集中的に接続するものであって、プリント配線板のような回路基板に、複数のコネクタ２５；２６；２７；２８；２９を実装した構造である。コネクタ２５乃至２９は、中継基板２４に付設されたプリント配線のような薄状の配線で、電気回路を構成するように相互に接続される。
【００１７】
コネクタ２５には、払出機構３の配線３０が接続される。配線３０は、払出モータ１２への動力線および位置検出器４５への信号線などから構成される。コネクタ２６には、払出検出構造体６２の配線３１が接続される。コネクタ２７には、球切検出機構５の配線３２が接続される。コネクタ２８には、遊技機枠１０１の扉開放センサの図外の配線が接続される。コネクタ２９には、払出制御装置の図外の配線が接続される。配線３０乃至３２の中間部は、タンク２の側壁の外面に設けられた配線止３３に引っ掛けられ、配線孔２３を経由して基板収容部２１の内外に貫通される。
【００１８】
基板収容部２１の上方に開口した部分には、蓋３４および収容側掛止部３５が設けられる。蓋３４は、前側に位置するヒンジ３６を中心とし、基板収容部２１の上で上方に開かれかつ下方に閉じられるように、片開き可能であって、蓋側掛止部３７を備える。蓋側掛止部３７は、蓋３４の自由側の縁部から基板収容部２１の方に突出した弾性片の端部に鉤部を備える。収容側掛止部３５は、基板収容部２１の後壁に前に突出した突起として設けられる。そして、蓋３４がヒンジ３６を中心として基板収容部２１の側に人為的に閉じられた場合、収容側掛止部３５と蓋側掛止部３７とが互いに掛け止られ、蓋３４が基板収容部２１の上方への開口を閉じかつ基板収容部２１に開閉不能に支持される。
【００１９】
払出機構３の内部構造について説明する。払出機構３の軸受４１は、払出体１１を回転可能に支持する部材であって、収容部８の前壁に取り付けられる。払出機構３の中継基板４２は、払出モータ１２および位置検出器４５を集中的に接続するものであって、プリント配線板のような回路基板に、複数のコネクタ４３；４４および位置検出器４５を実装した構造である。コネクタ４３；４４および位置検出器４５は、中継基板に付設されたプリント配線のような薄状の電線で、電気回路を構成するように相互に接続される。コネクタ４３には、配線３０が接続される。コネクタ４４には、モータ配線４６が接続される。
【００２０】
払出体１１における払出軸１４の前部には、支持突起４７が設けられる。支持突起４７は、軸受４１に回転可能に嵌め込まれるように、払出軸１４よりも外形の小さな短円柱であって、払出軸１４に同軸に構成される。払出軸１４の後部には、軸連結孔４８および被検出体４９が設けられる。軸連結孔４８は、払出軸１４の後面から内部に窪む孔の周面の一部を平坦面として突出した異形として、払出軸１４に同軸に設けられる。被検出体４９は、払出軸１４よりも外形の大きな円盤であって、払出軸１４に同軸に設けられる。被検出体４９の払出軸１４を中心とした円形の周壁には、被検出部５０が設けられる。被検出部５０は、被検出体４９の直径線上に位置して相対峙する一対であって、被検出体４９の周壁の前面から後側に窪み、被検出体４９の直径方向にも開口する溝として構成される。
【００２１】
払出モータ１２におけるモータ軸などの出力軸５１には、回転阻止部５２が設けられる。回転阻止部５２は、出力軸５１の周面の一部を平坦面として除去された異形として、出力軸５１の端部に形成される。払出モータ１２のモータケースには、配線接続部５３および取付足５４が設けられる。配線接続部５３には、モータ配線４６が接続される。筐体１３には、コネクタ収容部５５、配線逃避孔５６、放熱孔５７、筐体側取付部５８が設けられる。
【００２２】
払出機構３の内部構造の組立方について説明する。先ず、出力軸５１が前側に向けられ、払出モータ１２のモータケースが筐体１３に前から内部に収容されることによって、モータ配線４６における配線接続部５３の側の部分が配線逃避孔５６に配置される。そして、タッピングスクリューなどの止ねじ５９が取付足５４を経由して筐体１３の後壁に締結される。また、払出体１１の軸連結孔４８と払出モータ１２の回転阻止部５２とが互いに嵌め合わせられることによって、払出体１１と出力軸５１とが互いに一緒に回転するように接続される。次に、中継基板４２が筐体１３に前から収容されて払出モータ１２よりも前側に配置されることによって、位置検出器４５の凹部には被検出体４９の周壁が非接触に配置され、コネクタ４３がコネクタ収容部５５に配置される。その後、タッピングスクリューなどの止ねじ６０が中継基板４２を経由して筐体１３の後壁の上部に締結される。これによって、払出体１１、払出モータ１２、筐体１３、中継基板４２が、相互に組み立てられる。このように組み立てられた払出機構３のタンク２への取付構造については、図４で説明する。
【００２３】
そして、位置検出器４５が電力供給を受け、位置検出器４５の検出光が位置検出器４５の凹部の一側を形成する発光部から凹部の他側を形成する受光部に照射された状態において、被検出体４９が払出体１１と一緒に回転すると、被検出体４９で遮られていた位置検出器４５の検出光が被検出体４９の２分の１回転ごとに被検出部５０を通過して受光部で受光される。これによって、位置検出器４５が払出体１１の回転位置を払出体１１の２分の１回転ごとに１回検出して回転位置信号を出力する。
【００２４】
図４を参照し、払出機構３、抜取機構４、球切検出機構５、払出検出構造体６２がタンク２に取り付けられる部分について説明する。払出機構３を取り付けるために、タンク２には、タンク側取付部６３、払出挿入孔６４、軸受取付孔６５が設けられる。そして、軸受４１の前部が軸受取付孔６５に嵌め込まれ、払出機構３の支持突起４７がタンク２の後から払出挿入孔６４および収容部８を経由して軸受４１に回転可能に挿入される。その後、タッピングスクリューなどの止ねじ６６が筐体１３の後から筐体側取付部５８を経由してタンク側取付部６３に締結される。
【００２５】
払出検出構造体６２を取り付けるために、タンク２には、タンク側取付部６８が設けられる。払出検出構造体６２は、検出容器６９の内部に球検出器７０を収容した構造である。検出容器６９には、構造側取付部７１が設けられる。タッピングスクリューのような止ねじ７２が、払出検出構造体６２の下方から構造側取付部７１を経由してタンク側取付部６８に締結される。これによって、払出検出構造体６２がタンク２に取り付けられる。払出検出構造体６２がタンク２に取り付けられた場合、球出口９（図１参照）から排出された球が検出容器６９の内部通路および球検出器７０の内部通路を球が上方から可能に通過する。球検出器７０は、通過する球を検出するごとに、球検出信号を払出発射制御装置に出力する。
【００２６】
球切検出機構５を取り付けるために、タンク２には、検出収容部７４およびタンク側取付部７５が設けられる。球切検出機構５の機構躯体７６が検出収容部７４に上方から挿入され、球切検出機構５の感知レバー７７がタンク２の内部に配置される。その後、タッピングスクリューのような止ねじ７９が、機構躯体７６の後方から機構側取付部７８を経由してタンク側取付部７５に締結される。これによって、球切検出機構５がタンク２に取り付けられる。
【００２７】
抜取機構４を取り付けるために、タンク２の底部には、抜取口部８０、閉係合部８１、開係合部８２、タンク側取付部８３が設けられる。抜取機構４は、抜取口部８０、抜取扉８４、カバー８５を備える。抜取口部８０は、タンク２の底部に上下方向への貫通孔として形成される。抜取扉８４には、操作部８６、被係合部８７を備える。操作部８６は、抜取扉８４から下方に突出するように抜取扉８４に固定される。被係合部８７は、２本の溝８８によって抜取扉８４に片持ち梁のように形成された弾性片の自由端に鉤部を備える。カバー８５には、抜取逃避部８９、操作逃避部９０、カバー側取付部９１が設けられる。
【００２８】
抜取機構４のタンク２への取付方について説明する。抜取扉８４がタンク２の底部とカバー８５との間に配置されるように、カバー８５がタンク２の底部に下方から被せられる。その後、タッピングスクリューのような止ねじ９２がカバー側取付部９１を経由してタンク側取付部８３に締結される。これによって、カバー８５がタンク２の底部に固定される。このようにカバー８５がタンク２の底部に固定された場合、抜取逃避部８９が抜取口部８０よりも下方で抜取口部８０の真下に位置し、操作部８６が操作逃避部９０を経由してカバー８５よりも下方に突出し、抜取扉８４がタンク２の底部とカバー８５との間に開閉方向に移動可能に配置される。
【００２９】
図５を参照し、抜取機構４の動作について説明する。図５のａ図に示すように、抜取扉８４が抜取口部８０を閉鎖した場合、閉係合部８１と被係合部８７とが互いに係わり合い、抜取扉８４が開く方向に移動しないように、抜取扉８４が閉鎖位置に保持されるので、球が抜取口部８０から落下することなくタンク２に適切に貯蔵されるという利点がある。抜取扉８４が閉鎖位置に保持された状態において、操作部８６が矢印Ｘ３で示す開方向に人為的に操作されると、被係合部８７が閉係合部８１から解放される。その後、図５のｂ図に示すように、開係合部８２と被係合部８７とが互いに係わり合い、抜取扉８４が閉じる方向に移動しないように、抜取扉８４が開放位置に保持されるので、球が抜取口部８０からタンク２の下方外部に適切に抜き取られるという利点がある。
【００３０】
図６を参照し、球切検出機構５の動作について説明する。図６のａ図に示すように、球切検出機構５のレバー検出器９４に電力が供給され、球からの力が感知レバー７７に作用していない場合、感知レバー７７が錘９５の重さによって軸９６を中心として前側上方に回転してタンク２の後壁から前側に離れ、感知レバー７７に設けられた被検出部９７がレバー検出器９４の検出光Ｌから前側に離れる方向に移動する。これによって、レバー検出器９４は球の貯蔵量が減少した信号としての例えば球切信号を払出発射制御装置に出力し、払出発射制御装置が球の払出を停止するような払出中断処理を実行しかつ遊技店の営業を管理する図外のホールコンピュータに球切信号を出力し、ホールコンピュータが補給機構を制御し、補給機構が例えば５００個などの規定数の球をタンク２に供給する。
【００３１】
図６のｂ図に示すように、レバー検出器９４に電力が供給され、球から錘９５の重さよりも大きい力が感知レバー７７に上から下向きに作用した場合、感知レバー７７が軸９６を中心として後側下方に回転してタンク２の後壁に接触し、被検出部９７がレバー検出器９４の検出光Ｌを遮断し、タンク２における球の貯蔵量が例えば球切れよりも多くなる。これによって、レバー検出器９４が球切信号を払出発射制御装置に出力しなくなり、払出発射制御装置が球の払出を停止するような払出中断処理を実行せずかつ遊技店の営業を管理する図外のホールコンピュータに何の信号も出力しない。
【００３２】
図７を参照し、球払出装置１を備えた遊技機としてパチンコ遊技機を例示して説明する。パチンコ遊技機は、遊技機枠１０１の内部に図外の遊技盤を交換可能に取り付ける形態である。遊技機枠１０１は、固定枠１０２の前部に可動枠１０３を開閉可能に備え、可動枠１０３の前部に上扉１０４および下扉１０５を開閉可能に備える。固定枠１０２は、遊技機設置設備に固定される外枠とも呼ばれる。遊技機設置設備は、パチンコ遊技機を設置する遊技店の島と呼ばれる設備である。可動枠１０３は、遊技盤や図外の制御装置など遊技に必要な部品を取り付ける前枠とも呼ばれ、左側に位置するヒンジ１０６を中心とし、固定枠１０２の前で前方に開かれかつ後方に閉じられるように、片開き可能であって、盤設置構造体１０７および発射機構１０８を備える。盤設置構造体１０７は遊技盤を装着するための部材である。発射機構１０８は、盤設置構造体１０７の下部前面に取り付けられる。
【００３３】
発射機構１０８は、下扉１０５が閉じられて可動枠１０３に開閉不能に支持された場合、下扉１０５で覆い隠される。可動枠１０３には、球払出装置１、図外の施錠装置なども設けられる。上扉１０４は、左側に位置するヒンジ１０９を中心とし、可動枠１０３の前で前方に開かれかつ後方に閉じられるように、片開き可能である。上扉１０４には、窓１１０および前面パネル１１１が設けられる。窓１１０は、前後方向への貫通孔として構成される。前面パネル１１１は、窓１１０を後から塞ぐ大きさのガラスまたは合成樹脂からなる光透過性の有る無色な板状に構成される。下扉１０５には、受皿１１２、発射操作機構１１３、供給口１１４、取入口１１５が設けられる。
【００３４】
遊技盤が盤設置構造体１０７に装着され、可動枠１０３が閉じられて固定枠１０２に開閉不能に支持され、上扉１０４が閉じられて可動枠１０３に開閉不能に支持されると、前面パネル１１１と遊技盤の前面との間における図外のガイドレールで囲まれた部分が発射機構１０８から発射された球の飛び交う遊技領域になる。ガイドレールは、上扉１０４または前面パネル１１１または遊技盤に設けられる。遊技領域は、遊技機枠１０１の前から窓１１０および前面パネル１１１を通して視認可能になる。
【００３５】
そして、パチンコ球と呼ばれる球が受皿１１２に入れられ、発射操作機構１１３が人為的に操作されると、発射機構１０８が受皿１１２から供給口１１４を経由して発射機構１０８に取り込まれた球を発射操作機構１１３の操作量に応じた発射力で１個ずつ遊技領域の上部に向けて発射する。遊技領域の上部に到達した球が、遊技領域を流下する過程において、遊技領域における図外の入賞部品に入賞すると、払出機構３が遊技者への賞球としての球を払い出す。払出機構３から払い出された球は、球通路１１６から取入口１１５を経由して受皿１１２に払い出される。
【産業上の利用可能性】
【００３６】
図１において、払出機構３がタンク２の左端部に設けられ、タンク２の底面６が球を右から左に向けて流下させるというように、球を球入口７に向けて流下させる斜面を構成してもよい。また、払出体１１の螺旋体１５がタンク２から球入口７を経由して収容部８に取り込まれた球を１個ずつ分離しながら後から前の方に誘導するようにしてもよい。筐体１３がタンク２の前外部に固定されてもよい。
【００３７】
図７において、遊技機はパチンコ遊技機に限定されるものではなくスロットマシンでもよい。つまり、遊技盤を図柄表示器に置換し、発射操作機構１１３を球取込操作機構に置換し、球発射機構を球取込機構に置換し、遊技開始操作機構および図柄停止操作機構を上扉１０４の前部または下扉１０５の前部に設ければ、球払出装置１はスロットマシンにも適用できる。
【図面の簡単な説明】
【００３８】
【図１】球払出装置の平面図（最良の形態）。
【図２】庇の周りの斜視図（最良の形態）。
【図３】球払出装置の配線構造および払出機構の分解斜視図（最良の形態）。
【図４】球払出装置の分解斜視図（最良の形態）。
【図５】ａ図は抜取機構の閉鎖形態の断面図、ｂ図は抜取機構の開放形態の断面図（最良の形態）。
【図６】ａ図は球切検出機構の球切れ検出形態の断面図、ｂ図は球切検出機構の球切れ未検出形態の断面図（最良の形態）。
【図７】パチンコ遊技機における遊技機枠の斜視図（最良の形態）。
【図８】ａ図は球払出装置の平面図、ｂ図はａ図のＡ−Ａ線断面図（従来）。
【符号の説明】
【００３９】
１は球払出装置、２はタンク、３は払出機構、４は抜取機構、５は球切検出機構、６は底面、７は球入口、８は収容部、９は球出口、１０は庇、１１は払出体、１２は払出モータ、１３は筐体、１４は払出軸、１５は螺旋体、１６は欠番、１７は上り勾配部、１８は払出逃避部、１９は欠番、２０は欠番、２１は基板収容部、２２は配線孔、２３は配線孔、２４は中継基板、２５はコネクタ、２６はコネクタ、２７はコネクタ、２８はコネクタ、２９はコネクタ、３０乃至３２は配線、３３は配線止、３４は蓋、３５は収容側掛止部、３６はヒンジ、３７は蓋側掛止部、３８乃至４０は欠番、４１は軸受、４２は中継基板、４３はコネクタ、４４はコネクタ、４５は位置検出器、４６はモータ配線、４７は支持突起、４８は軸連結孔、４９は被検出体、５０は被検出部、５１は出力軸、５２は回転阻止部、５３は配線接続部、５４は取付足、５５はコネクタ収容部、５６は配線逃避孔、５７は放熱孔、５８は筐体側取付部、５９は止ねじ、６０は止ねじ、６１は欠番、６２は払出検出構造体、６３はタンク側取付部、６４は払出挿入孔、６５は軸受取付孔、６６は止ねじ、６７は欠番、６８はタンク側取付部、６９は検出容器、７０は球検出器、７１は構造側取付部、７２は止ねじ、７３は欠番、７４は検出収容部、７５はタンク側取付部、７６は機構躯体、７７は感知レバー、７８は機構側取付部、７９は止ねじ、８０は抜取口部、８１は閉係合部、８２は開係合部、８３はタンク側取付部、８４は抜取扉、８５はカバー、８６は操作部、８７は被係合部、８８は溝、８９は抜取逃避部、９０は操作逃避部、９１はカバー側取付部、９２は止ねじ、９３は欠番、９４はレバー検出器、９５は錘、９６は軸、９７は被検出部、９８乃至１００は欠番、１０１は遊技機枠、１０２は固定枠、１０３は可動枠、１０４は上扉、１０５は下扉、１０６はヒンジ、１０７は盤設置構造体、１０８は発射機構、１０９はヒンジ、１１０は窓、１１１は前面パネル、１１２は受皿、１１３は発射操作機構、１１４は供給口、１１５は取入口、１１６は球通路、Ｌは検出光、Ｌ１は広い前後幅、Ｌ２は中間の前後幅、Ｌ３は狭い前後幅。
【図１】
2008237630.tif 000003
【図２】
2008237630.tif 000004
【図３】
2008237630.tif 000005
【図４】
2008237630.tif 000006
【図５】
2008237630.tif 000007
【図６】
2008237630.tif 000008
【図７】
2008237630.tif 000009
【図８】
2008237630.tif 000010